(57)【要約】【課題】エレベータ用巻上機のモータを高出力化するに伴って、三相口出し用電線の線径を太くする必要が生じた場合にも、装置全体の大型化を抑制することのできるエレベータ用巻上機の固定子を得る。【解決手段】三相の各相に対応するコイルと、三相口出し用電線（１０）と、Ｎ相用電線（２０）との接続を行う場合に、所望のモータ特性の許容範囲を満たすような直列コイル数ｍと並列回路数ｎの組合せの中で、並列回路数ｎがより大きくなるような組合せを決定することで、Ｎ相用電線の線径を三相口出し用電線の線径と比較して細線化する。【選択図】図１
2013255301.tif 000002
【特許請求の範囲】
【請求項１】
三相モータである巻上機の各相に対応するコイルと、
前記各相に対応するコイルの一端に接続された三相口出し用電線と、
前記各相に対応するコイルの他端に接続されたＮ相用電線と
を備えたエレベータ用巻上機の固定子であって、
前記各相に対応するコイルのそれぞれは、直列コイル数ｍ、並列回路数ｎからなる直並列回路としてｍ×ｎ個のコイルで構成されており、所望のモータ特性を満たすような前記直列コイル数ｍおよび前記並列回路数ｎの組合せの中で、前記並列回路数ｎがより大きくなる組合せとして前記直並列回路の構成が決定される
ことを特徴とするエレベータ用巻上機の固定子。
【請求項２】
請求項１に記載のエレベータ用巻上機の固定子において、
前記Ｎ相用電線は、固定子の周方向からは延出しないループ状として構成される
ことを特徴とするエレベータ用巻上機の固定子。
【請求項３】
請求項１または２に記載のエレベータ用巻上機の固定子において、
前記三相口出し用電線と前記各相に対応するコイルの一端とを接続する第一結線部、および前記三相口出し用電線と比較して線径が細い前記Ｎ相用電線と前記各相に対応するコイルの他端とを接続する第二結線部の両方を固定子に固定するために用いられ、段差形状を有する固定用部品をさらに備える
ことを特徴とするエレベータ用巻上機の固定子。
【発明の詳細な説明】
【技術分野】
【０００１】
本発明は、エレベータ用巻上機のモータ高出力化に伴い、小型化を実現するためのエレベータ用巻上機の固定子に関するものである。
【背景技術】
【０００２】
従来のエレベータ用巻上機のステータ（固定子）は、複数のティースが一定間隔にて突出するコアと、ティースに絶縁ボビンを介してそれぞれに集中して巻回されたステータコイル（以下、コイルと称す）と、これらのコイルに三相電力を供給するためのＵ相用、Ｖ相用およびＷ相用の口出し用電線（以下、三相口出し用電線と称す）と、線間の中性点の結線を行うための中性点結線用電線（以下、Ｎ相用電線と称す）とを備える。
【０００３】
さらに、三相口出し用電線は、それぞれの相に対応する同相のコイルの一端に接続されており、Ｎ相用電線は、これらのコイルの他端に接続されている。そして、三相口出し用電線およびＮ相用電線は、ステータコア端部の周方向に沿って配置されている（例えば、特許文献１参照）。
【０００４】
また、三相口出し用電線およびＮ相用電線は、振動等による動きを防止し、さらに、これらの電線とコイル線との絶縁を確実に行う必要がある。そのため、樹脂成形の固定用部品を用いることによって、これらの電線とコイル線との結線部は、強固に固定される（例えば、特許文献２参照）。
【先行技術文献】
【特許文献】
【０００５】
【特許文献１】特開２００２−０９５１９９号公報
【特許文献２】特開２００５−１３０５８０号公報
【発明の概要】
【発明が解決しようとする課題】
【０００６】
しかしながら、従来技術には以下のような課題がある。
従来のエレベータ用巻上機のモータを高出力化する場合には、モータに対する必要電流が大きくなり、さらに、電流を大きくすることによって、ステータ内に配置される三相口出し用電線の温度上昇がより大きくなる。
【０００７】
したがって、多くの電流を流すとともに、電線の温度上昇を抑制するためには、三相口出し用電線の線径を太くしなければならない。また、Ｎ相用電線に流れる電流が大きくなるため、Ｎ相用電線の線径も太くしなければならない。さらに、三相口出し用電線およびＮ相用電線と、コイル線との結線部の固定を確実に行う必要がある。
【０００８】
従来では、以上のような制約があったため、三相口出し用電線の線径を太くする場合には、三相口出し用電線の線径と同一の太さになるように、Ｎ相用電線の線径も太くしなければならなかった。このため、Ｎ相用電線の電線材料の使用量が増加するという問題点があった。
【０００９】
さらに、三相口出し用電線の線径と同一の太さになるように、Ｎ相用電線の線径を太くした場合にも、三相口出し用電線およびＮ相用電線をステータ内の限られたスペースに配置する必要がある。その結果、配置スペースを確保するために、ステータコアを径方向に拡大化しなければならない（ステータ自体を大型化しなければならない）という問題点もあった。
【００１０】
なお、特許文献１、２には、エレベータ用巻上機のモータを高出力化する場合における、ステータ内に配置される三相口出し用電線およびＮ相用電線の線径についての記載がない。したがって、従来と同様に、三相口出し用電線の線径を太くする場合には、三相口出し用電線の線径とＮ相用電線の線径とが同一の太さになるように、Ｎ相用電線の線径を太くしなければならないため、同様の問題点が生じる。
【００１１】
本発明は、前記のような課題を解決するためになされたものであり、エレベータ用巻上機のモータを高出力化するに伴って、三相口出し用電線の線径を太くする必要が生じた場合にも、装置全体の大型化を抑制することのできるエレベータ用巻上機の固定子を得ることを目的とする。
【課題を解決するための手段】
【００１２】
本発明におけるエレベータ用巻上機の固定子は、三相モータである巻上機の各相に対応するコイルと、各相に対応するコイルの一端に接続された三相口出し用電線と、各相に対応するコイルの他端に接続されたＮ相用電線とを備えたエレベータ用巻上機の固定子であって、各相に対応するコイルのそれぞれは、直列コイル数ｍ、並列回路数ｎからなる直並列回路としてｍ×ｎ個のコイルで構成されており、所望のモータ特性を満たすような直列コイル数ｍおよび並列回路数ｎの組合せの中で、並列回路数ｎがより大きくなる組合せとして直並列回路の構成が決定されることを特徴とするものである。
【発明の効果】
【００１３】
本発明におけるエレベータ用巻上機の固定子によれば、三相の各相に対応するコイルと、三相口出し用電線と、Ｎ相用電線との接続を行う場合に、所望のモータ特性の許容範囲を満たすような直列コイル数ｍと並列回路数ｎの組合せの中で、並列回路数ｎがより大きくなるように組合せを決定する。これにより、Ｎ相用電線の線径を三相口出し用電線の線径と比較して細線化することが可能となり、エレベータ用巻上機のモータを高出力化するに伴って、三相口出し用電線の線径を太くする必要が生じた場合にも、装置全体の大型化を抑制することのできるエレベータ用巻上機の固定子を得ることができる。
【図面の簡単な説明】
【００１４】
【図１】本発明の実施の形態１におけるステータの概略構成を示す平面図である。
【図２】本発明の実施の形態１におけるステータの各相に対応するコイルと、三相口出し用電線と、Ｎ相用電線との接続に関する結線図である。
【図３】本発明の実施の形態１におけるステータのコイルおよび各電線の結線部の断面と、従来におけるステータのコイルおよび各電線の結線部の断面とを比較した説明図である。
【発明を実施するための形態】
【００１５】
以下、本発明のエレベータ用巻上機の固定子の好適な実施の形態につき図面を用いて説明する。
【００１６】
実施の形態１．
図１は、本発明の実施の形態１におけるステータの概略構成を示す平面図である。ここで、図１（ａ）は、ステータの全体図であり、図１（ｂ）は、図１（ａ）において、破線で囲まれた箇所Ａの拡大図である。
【００１７】
図１（ａ）、（ｂ）におけるステータは、三相口出し用電線１０、Ｎ相用電線２０、および固定用部品３０を備える。
【００１８】
また、図示しないが、従来と同様に、磁極ティース、ステータコア、コイル、および絶縁ボビンを備える。なお、ステータに具備されるコイルは、Ｕ相に対応するコイルと、Ｖ相に対応するコイルと、Ｗ相に対応するコイルとから構成される。また、三相口出し用電線１０は、Ｕ相の口出し用電線１１と、Ｖ相の口出し用電線１２と、Ｗ相の口出し用電線１３とから構成される。
【００１９】
磁極ティースは、ステータ内に複数配置されている。また、ステータコアは、複数の磁極ティースが一定間隔で突出する部分である。コイルは、それぞれの磁極ティースに絶縁ボビンを介し、集中して巻回されている。
【００２０】
三相口出し用電線１０を構成するＵ相の口出し用電線１１、Ｖ相の口出し用電線１２、およびＷ相の口出し用電線１３は、コイルに三相電力を供給するために、各相に対応するコイルの一端とそれぞれ接続されている。Ｎ相用電線２０は、各相における線間の中性点の結線を行うために、各相に対応するコイルの他端と接続されている。
【００２１】
なお、コイルと、三相口出し用電線１０およびＮ相用電線２０との接続を行うには、例えば、これらの電線をそれぞれ中間皮膜剥きし、中間皮膜剥きされている各部と各相に対応するコイルを結線し、これらの結線部を絶縁処理すればよい。
【００２２】
そして、図１に示すように、三相口出し用電線１０およびＮ相用電線２０は、ステータコアの端部の周方向に沿って配置されている。さらに、三相口出し用電線１０は、各相の電線の両端部をステータの周方向の所定の位置から折曲され、所定の間隔を介して、順次外方向に延出している。一方、Ｎ相用電線２０は、周方向からは延出しておらず、ループ状の構造となっている。
【００２３】
固定用部品３０は、例えば、樹脂成形のものが用いられ、三相口出し用電線１０およびＮ相用電線２０とコイルとの結線部を強固に固定する。固定用部品３０の詳細については、後述する。
【００２４】
次に、本実施の形態１の技術的特徴について説明する。ここで、本実施の形態１の技術的特徴は、ステータ内の各相に対応するコイルを三相口出し用電線１０およびＮ相用電線２０に結線する場合において、各相のコイルの接続の仕方を調整し、Ｎ相用電線２０に流れる電流値の大きさを変更することで、Ｎ相用電線２０の線径を三相口出し用電線１０の線径よりも細くすることを可能とする点にある。
【００２５】
すなわち、モータを高出力化するために、三相口出し用電線１０の線径を太くする必要が生じた場合にも、Ｎ相用電線２０に流れる電流値の大きさが可能な限り小さくなるように、所望のモータ特性を具備する範囲内で、各相のコイルの直並列接続の仕方を調整し、Ｎ相用電線２０を三相口出し用電線１０と比べて細線化することが、本願の技術的特徴である。
【００２６】
ここで、各相のコイルの直並列接続の仕方を鋭意検討した結果、各相のコイルに対して、直列に接続したコイル数（以下、直列コイル数と称す）と並列に接続した回路数（以下、並列回路数と称す）の組合せを決定する際に、所望のモータ特性の許容範囲を満たすような直列コイル数と並列回路数の組合せの中で、並列回路数がより大きくなるような組合せとして直並列回路の構成を決定すれば、Ｎ相用電線２０に流れる電流の大きさがより小さくなることを見出した。
【００２７】
なお、ここでいうモータ特性とは、モータの電圧値・電流値・トルク値・回転数等の特性を意味し、適用対象に応じて、これらのパラメータがとり得る値の許容範囲があらかじめ規定されることとなる。また、このモータ特性は、各相のコイルに対する直列コイル数と並列回路数の組合せによって変化し、所望のモータ特性を実現する組合せは、１つとは限らず、一般的には複数存在する。
【００２８】
次に、各相のコイルの具体的な直並列接続の方法について、結線図を用いて説明する。図２は、本発明の実施の形態１におけるステータの各相に対応するコイルと、三相口出し用電線１０と、Ｎ相用電線２０との接続に関する結線図である。
【００２９】
図２（ａ）、（ｂ）のそれぞれにおいて、ステータ内の全体のコイル数をＹ個、各相に対応するコイル数をＸ個とすると、全体のコイル数は、三相分のコイル数の和であるため、下式（１）の関係式が成立する。
Ｙ＝３×Ｘ                                                            （１）
【００３０】
また、Ｘ個ある各相に対応するコイルにおいて、直列コイル数をｍ、並列に接続したコイルの並列回路数をｎとすると、下式（２）の関係式が成立する。
Ｘ＝ｍ×ｎ                                                            （２）
【００３１】
なお、図２（ａ）、（ｂ）においては、このような本発明の技術的特徴について具体的に説明するために、各相のコイル数Ｘ＝６（Ｙ＝１８）とした場合を例示している。また、Ｘ＝６の場合において、上式（２）を満たすような直列コイル数ｍおよび並列回路数ｎの組合せは、（ｍ，ｎ）＝（６，１）、（３，２）、（２，３）、（１，６）である。
【００３２】
ここでは、これらの組合せにおいて、所望のモータ特性の許容範囲を満たすような直列コイル数ｍと並列回路数ｎの組合せは、（ｍ，ｎ）＝（３，２）、（２，３）とする。
【００３３】
そこで、図２（ａ）においては、（ｍ，ｎ）＝（３，２）である場合、図２（ｂ）においては、（ｍ，ｎ）＝（２，３）である場合を例示している。
【００３４】
次に、図２（ａ）、（ｂ）で示した結線図において、三相口出し用電線１０およびＮ相用電線２０に流れる電流の大きさについて説明する。まず、図２（ａ）において、三相交流電源から三相（Ｕ相、Ｖ相およびＷ相）のそれぞれの口出し用電線に流れる交流電流（相電流）の実効値をＩとする。
【００３５】
なお、ここでいう三相交流とは、三相の起電力および周波数が等しく、位相差が三相すべて２π／３の関係にあり、結果として、三相の起電力（瞬時値）のベクトル和が０になるものである。
【００３６】
図２（ａ）においては、Ｕ相の口出し用電線１１と結線されているコイルの直列コイル数ｍが３、並列回路数ｎが２であり、Ｕ相に着目すると、３つのコイルＵ１１、Ｕ１２、Ｕ１３と、３つのコイルＵ１４、Ｕ１５、Ｕ１６からなる直並列回路が構成されている。したがって、コイルＵ１１、Ｕ１２、Ｕ１３およびコイルＵ１４、Ｕ１５、Ｕ１６に流れる電流の実効値は、ともにＩ／２となる。
【００３７】
同様に、Ｖ相およびＷ相においても、それぞれの口出し用電線と結線されているそれぞれのコイルの直列コイル数ｍが３、並列回路数ｎが２であるため、それぞれのコイルに流れる電流の実効値は、Ｉ／２となる。
【００３８】
次に、図２（ｂ）において、図２（ａ）と同様に、三相交流電源から三相（Ｕ相、Ｖ相およびＷ相）のそれぞれの口出し用電線に流れる交流電流（相電流）の実効値をＩとする。なお、図２（ａ）、（ｂ）における相電流の実効値Ｉについては、同じ値になるように、それぞれの電源の交流電圧（相電圧）を制御すればよい。
【００３９】
図２（ｂ）においては、Ｕ相の口出し用電線１１と結線されているコイルの直列コイル数ｍが２、並列回路数ｎが３であり、Ｕ相に着目すると、２つのコイルＵ１１、Ｕ１２と、２つのコイルＵ１３、Ｕ１４と、２つのコイルＵ１５、Ｕ１６とからなる直並列回路が構成されている。したがって、コイルＵ１１、Ｕ１２、コイルＵ１３、Ｕ１４、およびコイルＵ１５、Ｕ１６に流れる電流の実効値は、ともにＩ／３となる。
【００４０】
同様に、Ｖ相およびＷ相においても、それぞれの口出し用電線と結線されているそれぞれのコイルの直列コイル数ｍが２、並列回路数ｎが３であるため、それぞれのコイルに流れる電流の実効値は、Ｉ／３となる。
【００４１】
そして、Ｎ相用電線２０に流れる電流の大きさは、三相口出し用電線１０のそれぞれに流れる電流のベクトル和の大きさとなる。したがって、各相に対応するコイルのインピーダンスがそれぞれ等しければ（コイル間が平衡であれば）、理想的には０となる。
【００４２】
しかしながら、各相に対応するコイル間が不平衡である場合、あるいは欠相事故などが行った場合には、Ｎ相用電線２０に電流が流れる。
【００４３】
ここで、各相に対応するコイル間が不平衡である場合を考えると、図２（ａ）において、Ｎ相用電線２０に流れる電流の大きさは、コイルＵ１１、Ｕ１２、Ｕ１３に流れる電流、コイルＶ１１、Ｖ１２、Ｖ１３に流れる電流およびコイルＷ１１、Ｗ１２、Ｗ１３に流れる電流のベクトル和の大きさとなる。
【００４４】
また、前述したように、図２（ａ）の構成において、これらのコイルに流れる電流の実効値は、Ｉ／２である。したがって、各相に対応するコイルに流れる電流のベクトル和を求めることにより、Ｎ相用電線２０に流れる電流の実効値がとり得る値は、最大でＩ／２であることが分かる。
【００４５】
一方、図２（ｂ）の構成において、Ｎ相用電線２０に流れる電流の大きさを同様に算出すると、以下の通りになる。すなわち、各相に対応するコイルに流れる電流のベクトル和を求めることにより、Ｎ相用電線２０に流れる電流の実効値がとり得る値は、最大でＩ／３であることが分かる。
【００４６】
したがって、図２（ａ）、（ｂ）を比較した結果、各相に対応するコイルに対して、直列コイル数ｍと並列回路数ｎの組合せを決定する際に、並列回路数ｎが大きくなるように組合せを決定すれば、Ｎ相用電線２０に流れる電流の実効値がとり得る最大値を小さくすることができ、不平衡あるいは欠相事故が生じた場合にも、Ｎ相用電線２０に流れる電流の大きさをより小さくすることができる。
【００４７】
なお、Ｎ相用電線２０に流れる電流について具体的に説明するために、ステータ内の全体のコイル数Ｙ、各相のコイル数Ｘ、直列コイル数ｍ、および並列回路数ｎの各パラメータの数値を設定したが、各パラメータがとり得る値は、ここで設定した数値に限定されない。
【００４８】
また、一般的には、ステータ内の全体のコイル数Ｙ、各相のコイル数Ｘに対して、直列コイル数ｍ、並列回路数ｎとした場合には、Ｎ相用電線２０に流れる電流の実効値がとり得る値の最大値は、（各相に流れる電流の実効値Ｉ）／（並列回路数ｎ）となる。
【００４９】
したがって、各相のコイル数Ｘに対する直列コイル数ｍと並列回路数ｎの組合せを決定する際には、所望のモータ特性を満たすような直列コイル数ｍと並列回路数ｎの組合せの中で、並列回路数ｎが大きくなるように組合せを決定すれば、Ｎ相用電線に流れる電流の大きさをより小さくすることができる。
【００５０】
そして、このようにＮ相用電線２０に流れる電流の大きさを小さくすることで、電線の温度上昇が抑制されるため、三相口出し用電線１０と比べて、Ｎ相用電線２０を細線化することができる。
【００５１】
なお、Ｎ相用電線２０の線径のサイズについては、このように算出したＮ相用電線２０に流れる電流の大きさに基づいて決めればよい。
【００５２】
次に、本実施の形態１におけるコイル４０および各電線の結線部について、従来のステータのコイル４０および各電線の結線部と比較しながら、図３を参照して説明する。図３は、従来におけるステータのコイル４０および各電線の結線部の断面と、本発明の実施の形態１におけるステータのコイル４０および各電線の結線部の断面とを比較した説明図である。
【００５３】
なお、図３（ｂ）においては、先の図１、２におけるＷ相に対応するコイルの一端とＷ相の口出し用電線１３との結線部、このコイルの他端とＮ相用電線２０との結線部、およびこれらの結線部を固定する固定用部品３０の断面図（すなわち、先の図１（ｂ）のＢ−Ｂ’に沿った断面図）を示している。
【００５４】
また、従来のステータに用いられる固定用部品３０ａの断面に対応する図３（ａ）においても、図３（ｂ）と対比するために、ここでは、同様の構成に対する固定状態を示している。
【００５５】
まず、図３（ａ）における従来のステータは、図示するように、コイル４０の一端とＷ相の口出し用電線１３との結線部、およびこのコイル４０の他端とＮ相用電線２０との結線部の上下を、上部固定用部品３１ａおよび下部固定用部品３２ａを用いて、嵌めこむように固定していた。
【００５６】
なお、図３（ａ）、（ｂ）に示した断面箇所においては、Ｕ相口出し用電線１１およびＶ相口出し用電線１２は、Ｗ相に対応するコイルとは結線されないため、それぞれ口出し用電線のみの断面を図示している。
【００５７】
また、従来では、モータの高出力化に伴い、三相口出し用電線１０の線径を太くする必要が生じた場合には、三相口出し用電線１０の線径と同一の太さになるように、Ｎ相用電線２０の線径を太くしていた。
【００５８】
したがって、三相口出し用電線１０およびＮ相用電線２０は、同一線径であるため、図３（ａ）に示すように、固定用部品３０の上部の形状としては、フラット形状のものを用いていた。
【００５９】
そして、三相口出し用電線１０およびＮ相用電線２０をステータ内の限られたスペースに配置するためのスペースを確保する必要があるため、ステータコアを径方向に拡大化しなければならなかった（ステータ自体を大型化しなければならなかった）。
【００６０】
それに対し、図３（ｂ）における本実施の形態１のステータは、前述したように、モータの高出力化に伴い、三相口出し用電線１０の線径が太くなっても、Ｎ相用電線２０に流れる電流値の大きさが可能な限り小さくなるように、各相に対応するコイルの直並列接続の仕方を調整する。これにより、Ｎ相用電線２０の線径を三相口出し用電線１０の線径と同一の太さまで太くする必要がない。
【００６１】
また、従来では、三相口出し用電線１０およびＮ相用電線２０が同一線径のものでない場合には、結線部の固定を確実に行うことができなかった。しかしながら、従来の固定用部品３０ａの構造を改良することにより、結線部の固定を確実に行うことができる。
【００６２】
すなわち、図３（ｂ）に図示するように、コイル４０とＷ相の口出し用電線１３との結線部、コイル４０とＮ相用電線２０との結線部の上下を、各電線に対して段差のついた形状を有した上部固定用部品３１およびティースの各絶縁ボビンに嵌められた下部固定用部品３２を用いて、嵌めこむように固定することで、結線部の固定を確実に行うことができる。
【００６３】
なお、以上の説明では、具体的に説明するために、固定用部品３０を用いて、Ｗ相における結線部を固定する場合について例示したが、Ｕ相およびＶ相においても、同様に、固定用部品３０を用いて、それぞれの相に対応する結線部を固定しているため、Ｗ相の場合と同様のことがいえる。
【００６４】
以上のように、本発明の実施の形態１によれば、エレベータ用巻上機の固定子における三相の各相に対応するコイルと、三相口出し用電線と、Ｎ相用電線との結線において、各相のコイルに対して、直列コイル数と並列回路数の組合せを決定する際に、所望のモータ特性の許容範囲を満たすような直列コイル数と並列回路数の組合せの中で、並列回路数が大きくなる組合せとして、直並列回路の構成を決定している。この結果、Ｎ相用電線に流れる電流の大きさを相対的に小さくすることができる。
【００６５】
そして、Ｎ相用電線に流れる電流の大きさを相対的に小さくできることにより、三相口出し用電線の線径を太くする場合において、Ｎ相用電線の線径を同一の太さにする必要がない。このため、電線材料の使用量が削減され、さらに、電線を配置するためのスペースが確保される。
【００６６】
また、線径が異なる電線を固定するために、段差形状を有する固定用部品を採用することで、省スペース化と確実な固定の両立を図ることができる。さらに、Ｎ相用電線を、ループ状で構成し、周方向からは延出しない構造とすることで、さらなる省スペース化が可能となる。
【符号の説明】
【００６７】
１０  三相口出し用電線、１１  Ｕ相口出し用電線、１２  Ｖ相口出し用電線、１３  Ｗ相口出し用電線、２０  Ｎ相用電線、３０、３０ａ  固定用部品、３１、３１ａ  上部固定用部品、３２、３２ａ  下部固定用部品、４０  コイル。
【図１】
2013255301.tif 000003
【図２】
2013255301.tif 000004
【図３】
2013255301.tif 000005